(57)【要約】【課題】十分な耐候性を備え、尊厳性及び品位を損なうことなく、石材以外の素材を用いて意匠性を向上させることが可能な墓構造体を提供する。【解決手段】竿２、花立４及び水鉢５を有する墓構造体１０において、表面に、瓦素材からなる竿用瓦素材部２２を有するものである。この竿用瓦素材部２２は、瓦素材のうち、表面に釉薬が塗られている釉薬瓦であってもよいが、釉薬が塗られていない素地瓦、特にいぶし瓦の素材によって形成されることが意匠性の点で好ましい。また、竿２、花立４及び水鉢５のうちの少なくとも１つは、石材と、この石材に取付けられた瓦素材部とを有するものであってもよい。【選択図】図１
2019127726.tif 000002
【特許請求の範囲】
【請求項１】
竿、花立及び水鉢を有する墓構造体において、
表面に、瓦素材からなる瓦素材部を有するものであることを特徴とする墓構造体。
【請求項２】
前記竿、前記花立及び前記水鉢のうちの少なくとも１つは、石材と、該石材に取付けられた前記瓦素材部とを有するものであることを特徴とする請求項１に記載の墓構造体。
【請求項３】
前記竿は、前記瓦素材部からなる中空な竿本体と、該竿本体に充填された充填物とを有するものであることを特徴とする請求項１に記載の墓構造体。
【請求項４】
前記花立は、
中空の花立台と、
前記花立台内に収容され水を溜める水溜容器と、
鍔部を有し、前記水溜容器内に上方から挿入されると共に該鍔部が前記花立台に係止して該花立台に支持される花立筒と、を備えるものであり、
前記花立筒は、前記花立台に支持される支持状態において、前記水溜容器の内面と間隔を空けて位置する側壁と、該側壁の下端を閉塞する底壁とを有するものであり、
前記底壁は、孔が形成されたものであることを特徴とする請求項１〜３のうちいずれか１項に記載の墓構造体。
【請求項５】
前記花立は、前記水溜容器の内面と前記花立筒の前記側壁との間に配置され、該水溜容器に溜まっている水の蒸発を抑制する蒸発抑制部材を有するものであることを特徴とする請求項４に記載の墓構造体。
【請求項６】
前記花立台は、上端よりも下方位置から内側に突出した支持部を有するものであり、
前記花立筒は、前記鍔部が前記支持部に上方から係止することで前記支持状態になるものであり、
前記鍔部は、前記支持状態において、前記花立台における、前記上端と前記支持部との間に形成された空間と、前記水溜容器内とを連通する切欠きが形成されたものであることを特徴とする請求項４又は５に記載の墓構造体。
【発明の詳細な説明】
【技術分野】
【０００１】
本発明は、竿、花立及び水鉢等を有する墓構造体に関する。
【背景技術】
【０００２】
竿、花立及び水鉢等を有する墓構造体は、一般的に石材によって構成されているため、墓石と称されることも多いが、以下、墓構造体のことを単に墓と称する場合がある。この墓は、近時ではスタイルも多様化し、伝統的な和型の他、洋型や和洋型等の様々なものが見られるようになってきている。
【０００３】
例えば、和型の墓では、下から順番に積まれた、下台（芝台）、中台、上台等の上に、縦長の角柱状の竿（竿石）が設けられている（例えば、特許文献１等参照）。また、洋型の墓は、下台に積まれた上台等の上に、平たく横幅が広い竿が設けられている（例えば、特許文献２等参照）。さらに、和洋型の墓は、和型と洋型を融合させたものであり、下台に積まれた上台等の上に、洋型の竿よりも高さを高くした竿が設けられている（例えば、特許文献３等参照）。
【先行技術文献】
【特許文献】
【０００４】
【特許文献１】特開２０１４−２２４４１６号公報
【特許文献２】特開２００５−１８８２７８号公報
【特許文献３】実用新案登録第３２０９８７５号公報
【発明の概要】
【発明が解決しようとする課題】
【０００５】
ここで、墓は、屋外で強い日差しや風雨にさらされることになり、先祖代々引き継がれていくという永続性の観点から耐候性が非常に重要になる。また、墓は、先祖を敬うといった尊厳性や品位も重要な要素となっている。これらの条件を満足するものとして、御影石（花崗岩）等の石材が一般的に用いられており、石材以外の素材を用いることは難しい。このため、様々なスタイルの墓が近時見られるようになってきているが、石材以外の素材を用いて意匠性を向上させることは難しいのが現状である。
【０００６】
本発明は前記事情に鑑み、十分な耐候性を備え、尊厳性及び品位を損なうことなく、石材以外の素材を用いて意匠性を向上させることが可能な墓構造体を提供することを目的とする。
【課題を解決するための手段】
【０００７】
前記目的を解決する本発明の墓構造体は、竿、花立及び水鉢を有する墓構造体において、
表面に、瓦素材からなる瓦素材部を有するものであることを特徴とする。
【０００８】
ここで、瓦素材とは、粘土を一定の形に固めて焼いたもの、すなわち瓦と同じ材料を用い、瓦と同じ方法で製造されたものをいう。また、前記瓦素材部は、瓦素材のうち、表面に釉薬が塗られている釉薬瓦であってもよいが、釉薬が塗られていない素地瓦、特にいぶし瓦の素材からなるものが意匠性の点で好ましい。また、前記墓構造体は、表面全体が前記瓦素材部で構成されたものであってもよい。さらに、前記墓構造体は、和型、洋型或いは和洋型であってもよいし、香炉、墓誌、上台、中台、下台（芝台）、拝台等の、一般的な墓構造体が備えている構成を有するものであってもよい。またさらに、前記花立及び前記水鉢は一体に構成されたものであってもよい。
【０００９】
本発明の墓構造体（墓）によれば、表面に、前記瓦素材部を有するものであるため、瓦素材特有の重厚感によって意匠性を向上させることができる。また、瓦素材は、伝統的に古くから用いられているものであるため、墓の尊厳性や品位を損なう虞も少ない。さらに、屋根に用いられていることから実証済みのように、耐候性にも非常に優れている。なお、前記瓦素材部が、いぶし瓦の素材からなる態様を採用すれば、いぶし銀の光沢から生まれる独特な趣を醸し出すことができる。さらに、いぶし瓦特有の、雨による色の変化や、侘び寂びといった経年美等も奏することができる。
【００１０】
また、本発明の墓構造体において、前記竿、前記花立及び前記水鉢のうちの少なくとも１つは、石材と、該石材に取付けられた前記瓦素材部とを有するものであることが好ましい。
【００１１】
こうすることで、前記石材に取付けられた前記瓦素材部がアクセントになり、意匠性を向上させることが可能になる。例えば、石材からなる竿本体に、鬼瓦の鬼面や花形等の形状が縁取られた前記瓦素材部を取付けてもよい。
【００１２】
さらに、本発明の墓構造体において、前記竿は、前記瓦素材部からなる中空な竿本体と、該竿本体に充填された充填物とを有するものであってもよい。
【００１３】
ここで、前記充填物は、コンクリートやモルタルであってもよいし、ポリウレタンやポリスチレン、或いはポリオレフィン等の発泡プラスチックであってもよい。
【００１４】
前記竿を、前記竿本体と前記充填物によって構成すれば、該竿の表面全体が前記瓦素材部で構成されることになり、あたかも該竿自体が瓦素材で構成されているような意匠にすることが可能になる。また、前記充填物としてコンクリートやモルタルを用いれば、前記竿の強度を向上させることができ、該充填物として発泡プラスチックを用いれば、該竿を軽量にすることができ、墓の設置工事が容易になる。
【００１５】
なお、水鉢、香炉、墓誌、上台、中台、下台或いは拝台等についても、前記瓦素材部からなる中空な本体と、該本体に充填された充填物とから構成してもよい。
【００１６】
また、本発明の墓構造体において、前記花立は、
中空の花立台と、
前記花立台内に収容され水を溜める水溜容器と、
鍔部を有し、前記水溜容器内に上方から挿入されると共に該鍔部が前記花立台に係止して該花立台に支持される花立筒と、を備えるものであり、
前記花立筒は、前記花立台に支持される支持状態において、前記水溜容器の内面と間隔を空けて位置する側壁と、該側壁の下端を閉塞する底壁とを有するものであり、
前記底壁は、孔が形成されたものであってもよい。
【００１７】
ここで、前記孔は、直径が０．５ｍｍ〜１０．０ｍｍ程度とすることが好ましい。
【００１８】
この態様を採用すれば、前記水溜容器に溜まっている水が、前記孔から前記花立筒内に補充される。このため、前記花立筒内の水量が確保しやすくなり、該花立筒に供えられた花を長持ちさせることができる。なお、前記水溜容器は、前記鍔部によって上方が閉塞されているため、該水溜容器に溜まった水は蒸発が抑制される。
【００１９】
さらに、本発明の墓構造体において、前記花立は、前記水溜容器の内面と前記花立筒の前記側壁との間に配置され、該水溜容器に溜まっている水の蒸発を抑制する蒸発抑制部材を有するものであることが好ましい。
【００２０】
ここで、前記蒸発抑制部材は、前記水溜容器に溜まった水の水面に浮かぶ樹脂製のシートであってもよいし、外径が数十ｍｍ程度のポリプロピレン製等の中空ボール（蒸発防止ボール）であってもよい。
【００２１】
前記蒸発抑制部材を有する態様を採用すれば、前記水溜容器に溜まった水の蒸発がより抑制され、前記水溜容器に水が補充されない場合であっても、前記花立筒への水の補充をさらに長い期間確保することができる。
【００２２】
また、本発明の墓構造体において、前記花立台は、上端よりも下方位置から内側に突出した支持部を有するものであり、
前記花立筒は、前記鍔部が前記支持部に上方から係止することで前記支持状態になるものであり、
前記鍔部は、前記支持状態において、前記花立台における、前記上端と前記支持部との間に形成された空間と、前記水溜容器内とを連通する切欠きが形成されたものであることも好ましい態様の一つである。
【００２３】
こうすることで、雨水等が、前記花立台における、前記上端と前記支持部との間に形成された空間から、前記切欠きを通って前記水溜容器内に流れ込み、該水溜容器内に水を効果的に補充することができる。
【発明の効果】
【００２４】
本発明によれば、十分な耐候性を備え、尊厳性及び品位を損なうことなく、石材以外の素材を用いて意匠性を向上させることが可能な墓構造体を提供することができる。
【図面の簡単な説明】
【００２５】
【図１】本発明の一実施形態である墓（墓構造体）の斜視図である。
【図２】図１における竿のＡ−Ａ線断面図である。
【図３】図１に示す花立のＢ−Ｂ線断面図である。
【図４】図１に示す花立の平面図である。
【図５】図３及び図４に示す蒸発抑制シートの平面図である。
【図６】第２実施形態の墓（墓構造体）の斜視図である。
【図７】図６に示す墓における竿の変形例を示す断面図である。
【図８】図３〜図５に示す花立の変形例を示す断面図である。
【発明を実施するための形態】
【００２６】
以下、図面を参照して本発明の実施の形態を説明する。
【００２７】
図１は、本発明の一実施形態である墓（墓構造体）の斜視図である。本実施形態では、洋型の墓を採用している。この図１では、右斜め上方と左斜め下方を結ぶ方向が幅方向になり、右斜め下方と左斜め上方を結ぶ方向が前後方向になる。以下の説明では、図１を基準にして、前後左右、幅方向及び前後方向の用語を用いている。
【００２８】
図１に示すように、墓１０は、竿２、下台３１、上台３２、左右一対の花立４、上面に水溜５ａが形成された水鉢５、拝台６１及び台６２を備えている。なお、本実施形態の水鉢５は、香炉と一体となったものであり、本出願においては、水溜が形成された部材を水鉢と称するものとする。竿２は、下台３１の上に積まれた上台３２上に設置されており、本実施形態では、前後方向の寸法が小さく、幅方向の寸法が大きい、平たく横幅が広い形状の洋型のものである。
【００２９】
図２は、図１における竿２のＡ−Ａ線断面図である。
【００３０】
図２に示すように、竿２は、竿本体２１と、竿用瓦素材部２２とを備えている。竿本体２１は、御影石等の石材で構成され、前面側に凹部２１ａが形成されている。竿用瓦素材部２２は、竿本体２１の凹部２１ａに嵌め込まれ、不図示のボルトや接着剤等によって取付られている。本実施形態の竿用瓦素材部２２は、釉薬が塗られていない、いぶし瓦の素材からなるものである。この竿用瓦素材部２２は、昔ながらの伝統工芸である、公知のいぶし瓦の製造方法によって形成することができる。
【００３１】
竿用瓦素材部２２の製造方法の一例を挙げれば、まず、カオリン系または緑泥石系等の粘土を主原料として、他に珪石、珪砂、長石、雲母鉱物などを原料として、混練、成形する。なお、主原料の粘土には、例えば、太田川（静岡県周智郡森町北部に源を発し、磐田市、袋井市を南流し、遠州灘に流れ込む川）の沿岸で取れる、木目がこまやかで滑らかな粘土（田圃の床土）を用いることが好ましい。
【００３２】
成形においては、例えば、金ベラを使って何度も磨き上げることで、銀色の独特の光沢を生じさせることができる。ここで、竿用瓦素材部２２の形状は、特に限定されるものではない。例えば、鬼面の中でも、特に遠州鬼瓦と称される、笑う鬼面を周囲に縁取り、中央に家名や文字等を形成してもよいし、周囲を花形にする等、様々な立体的形状に形成することができる。
【００３３】
所定の形状に成形した後、数日間の乾燥工程を経て十分に乾燥させてから１１００℃以上の高温で焼成する。この焼成工程の冷却過程において、９５０℃〜７２０℃の温度域に降温したときに、燻化剤によって燻化処理して独特の艶のある金属様銀色の被膜を形成して製造される。この場合、燻化剤としては、例えば松材、石炭など固体燃料、重油、軽油など液体燃料、またはＬＰＧなど気体燃料など可燃材料に、水、炭酸ガス、窒素ガスなど希釈剤を混合したものを使用する。そして、前述の温度域において酸素の供給を絶った状態で強い還元雰囲気を形成し、約２５分〜１時間、前記高温の粘土瓦焼成体を曝せば、燻化剤から発生した一酸化炭素ガスが還元されて生じるグラファイトが、瓦表面層に沈着して、いぶし瓦独特の金属光沢をもつ銀色の被膜が形成される。
【００３４】
なお、最後に、ショットブラスト等によって、仕上げ加工を施してもよい。また、家名等は、ショットブラスト等の仕上げ加工によって彫刻してもよい。
【００３５】
図１に示すように、拝台６１上における、幅方向の両側に設置された一対の花立４は、石材で構成された花立台４１と、この花立台４１の前面に取付けられた花立用瓦素材部４２とを備えている。なお、図１では、花立４の花立筒８（図３参照）は省略している。花立用瓦素材部４２は、竿用瓦素材部２２と同じく、いぶし瓦の素材からなるものである。また、図１では簡略化して示しているが、花立用瓦素材部４２の周囲に笑う鬼面を縁取り、中央に、花柄や文字、家紋等が形成されている。
【００３６】
なお、本実施形態の竿用瓦素材部２２及び花立用瓦素材部４２は、いぶし瓦の素材からなるものであるが、いぶし瓦以外の、釉薬が塗られていない素地瓦の素材を採用してもよく、さらには、表面に釉薬が塗られている釉薬瓦の素材を採用してもよい。ただし、いぶし瓦の素材からなる態様を採用すれば、いぶし銀の光沢から生まれる独特な趣を醸し出すことができ、さらに、いぶし瓦特有の、雨による色の変化や、侘び寂びといった経年美等も奏することができる。
【００３７】
本実施形態では、竿２及び一対の花立４以外の、下台３１、上台３２、水鉢５、拝台６１及び台６２は、石材で構成されている。しかしながら、例えば水鉢５等を、いぶし瓦の素材によって一定形成してもよい。
【００３８】
本実施形態の墓１０によれば、竿用瓦素材部２２及び花立用瓦素材部４２を設けることで、瓦素材特有の重厚感によって意匠性を向上させることができる。特に、竿用瓦素材部２２及び花立用瓦素材部４２は、いぶし瓦の素材からなるものであるため、いぶし銀の光沢から生まれる独特な趣を醸し出すことができる。また、瓦素材は、伝統的に古くから用いられているものであるため、墓１０の尊厳性や品位を損なう虞も少ない。さらに、屋根に用いられていることから実証済みのように、耐候性にも非常に優れている。
【００３９】
図３は、図１に示す花立４のＢ−Ｂ線断面図であり、図４は、図１に示す花立４の平面図である。これら図３及び図４では、図１で省略した花立筒８を、断面していない状態で示している。なお、図１に示す一対の花立４は、同一構造であるため、以下、一方（図１に示す左側）の花立４について説明する。
【００４０】
図３に示すように、花立４は、中空の花立台４１と、この花立台４１内に収容され水を溜める水溜容器７１と、花立台４１に支持され花が供えられる花立筒８とを備えている。水溜容器７１と花立筒８は、例えばステンレス鋼によって構成されている。
【００４１】
花立台４１は、前述したように石材で構成された角筒状のものであり、側壁部４１１と、側壁部４１１の上端よりも下方位置から内側に突出した支持部４１２を有し、拝台６１上に設置されている。花立台４１は、側壁部４１１の上端と、支持部４１２の上面との間に空間Ｈが形成されている。また、支持部４１２の内周には、挿入口を画定する内周面４１２ａが形成されている。この内周面４１２ａによって画定される挿入口は、花立筒８を挿入する開口であり、図４に示すように、平面視円形に形成されている。さらに、支持部４１２の下面には、平面視円環状に形成された水切り用の溝４１２ｂが設けられている。この溝４１２ｂは、図３に示すように、その下方が、水溜容器７１内に収まる位置に形成されている。
【００４２】
花立筒８は、ラッパ状に拡がった上端部分８１３を備えた有底円筒状の花立筒本体８１と、この花立筒本体８１の上部側に固定された鍔部８２とを有している。図３では、花立筒８が花立台４１に支持された支持状態を示している。具体的には、花立筒本体８１を、花立台４１の内周面４１２ａによって画定される挿入口から挿入することで、花立筒本体８１が水溜容器７１内に上方から挿入されると共に鍔部８２が花立台４１の支持部４１２に上方から係止した状態で支持されている。
【００４３】
花立筒本体８１は、支持状態において、水溜容器７１の内面７１ａと間隔を空けて位置する側壁８１１と、側壁８１１の下端を閉塞する底壁８１２とを有するものである。図３及び図４に示すように、底壁８１２は、その中央に孔８１２ａが形成されている。この孔８１２ａは、直径が０．５ｍｍ〜１０ｍｍの円形の孔である。なお、孔８１２ａは、底壁８１２の中央に限られるものではなく、また、１つに限らず、複数も受けもよい。
【００４４】
図３及び図４に示すように、鍔部８２は、外周部分における互いに対向する位置に、一対の切欠き８２ａが形成されている。これら一対の切欠き８２ａは、支持状態において、花立台４１における空間Ｈと、花立筒本体８１が挿入された水溜容器７１内とを連通している。
【００４５】
また、花立４は、本発明における蒸発抑制部材ととしての蒸発抑制シートＳを備えている。この蒸発抑制シートＳは、水面に浮かぶ樹脂製のシートであり、水溜容器７１の内面７１ａと花立筒本体８１の側壁８１１との間に配置され、水溜容器７１に溜まっている水の水面に浮かんでいる。
【００４６】
図５は、図３及び図４に示す蒸発抑制シートＳの平面図である。
【００４７】
図５に示すように、蒸発抑制シートＳは、中央部分に、花立筒本体８１の側壁８１１の直径と略同じか若干大きい直径の挿通孔Ｓａが形成された、平面視円環状（ドーナツ状）のものである。また、挿通孔Ｓａの周囲における対向する位置に、一対の補充孔Ｓｂが形成されている。なお、補充孔Ｓｂの位置や数は特に限定されるものではない。
【００４８】
図３に示すように、蒸発抑制シートＳは、花立筒本体８１が挿通孔Ｓａに挿通された状態で、水溜容器７１に溜まっている水の水面に浮かんでいる。このため、蒸発抑制シートＳは、水溜容器７１に溜まっている水の水位の変動に追従して上下動する。
【００４９】
本実施形態の花立４によれば、水溜容器７１に溜まっている水が、孔８１２ａから花立筒８内に補充される。このため、花立筒８内の水量が確保しやすくなり、花立筒８に供えられる不図示の花を長持ちさせることができる。なお、支持状態において、花立台４１の内周面４１２ａによって画定される挿入口は、花立筒８の鍔部８２によって閉塞されているため、水溜容器７１に溜まっている水の蒸発が抑制される。さらに、蒸発抑制シートＳを設けることで、水溜容器７１に溜まっている水の蒸発がより抑制され、花立筒８への水の補充をさらに長い期間確保することができる。
【００５０】
また、雨等によって花立台４１の空間Ｈに流れ込んだ水は、花立筒８の鍔部８２に形成された切欠き８２ａから水溜容器７１内に落下し、蒸発抑制シートＳの補充孔Ｓｂから入り込んで、水溜容器７１に溜まっている水に補充される。ここで、支持部４１２の内周面４１２ａを伝って落ちてくる水は、支持部４１２の底面を伝って外側に逃げていくが、水切り用の溝４１２ｂによって水溜容器７１内に落下し、水溜容器７１の外側に逃げてしまうことを防ぐことできる。
【００５１】
なお、蒸発抑制部材として、蒸発抑制シートＳに代えて、外径が数十ｍｍ程度のポリプロピレン製等の中空ボールを採用し、この中空ボールを、水溜容器７１に溜まっている水の水面に隙間無く浮かべるようにしてもよい。
【００５２】
次に、図１〜図５に示す第１実施形態の墓１０の他の実施形態及び変形例について説明する。以下に説明する他の実施形態及び変形例においては、図１〜図５に示す第１実施形態との相違点を中心に説明し、図１〜図５に示す第１実施形態における構成要素の名称と同じ名称の構成要素には、これまで用いた符号を付して説明し、重複する説明は省略することがある。
【００５３】
図６は、第２実施形態の墓（墓構造体）１１の斜視図である。
【００５４】
図６に示すように、本実施形態の墓１１は、縦長の角柱状の竿２を備えた和型のものである。また、墓１１は、下台３１と上台３２との間に中台３３が配置され、水鉢５とは別体に設けられた香炉６３を備えている。さらに、墓誌台６４と、この墓誌台６４上に設けられた墓誌６５も備えている。
【００５５】
墓１１は、図１に示す第１実施形態の墓１０と同じく、竿２が、竿本体２１と竿用瓦素材部２２を有しており、花立４が、花立台４１と花立用瓦素材部４２を有している。また、水鉢５が、石材からなる水鉢本体５１と、いぶし瓦の素材からなる水鉢用瓦素材部５２とによって構成されている。同様に、墓誌６５が、石材からなる墓誌本体６５１と、いぶし瓦の素材からなる墓誌用瓦素材部６５２とによって構成されている。
【００５６】
第２実施形態の墓１１によっても、十分な耐候性を備え、尊厳性及び品位を損なうことなく、石材以外の素材を用いて意匠性を向上させることができる。
【００５７】
図７は、図６に示す墓１１における竿２の変形例を示す断面図である。
【００５８】
図７に示すように、本変形例の竿２’は、いぶし瓦の素材によって形成された瓦素材部からなる中空な竿本体２１’と、竿本体２１’に充填された充填物Ｆとを有している。本変形では、充填物Ｆとして、ポリウレタンやポリスチレン、或いはポリオレフィン等の発泡プラスチックを採用している。これにより、竿２’の表面全体が瓦素材部で構成されることになり、あたかも竿２’自体が瓦素材で構成されているような意匠にすることが可能になる。さらに、竿２’が軽量になり、墓１１の設置工事が非常に容易になる。
【００５９】
なお、図６に示す、水鉢５、上台３２、中台３３、下台３１、台６２、墓誌台６４及び墓誌６５についても、瓦素材部からなる中空な本体と、この本体に充填された充填物とから構成してもよい。また、花立４の花立台４１と香炉６３を瓦素材によって一体形成する態様とすれば、墓１１全体が、瓦素材で構成されているような意匠にすることが可能になる。
【００６０】
また、充填物Ｆとして、コンクリートやモルタルを採用してもよい。この態様を採用すれば、竿２’等の強度を向上させることができる。
【００６１】
図８は、図３〜図５に示す花立４の変形例を示す断面図である。図８では、紙面の左右方向が幅方向になり、紙面と直交する方向が前後方向になる。
【００６２】
図８に示すように、本変形例の第２花立９は、図１に示す、左右一対の花立４と、水鉢５が一体的に構成されたものであり、拝台６１上に設置された第２花立本体９１を有している。第２花立本体９１は、側壁９１１と、側壁９１１の上端を閉塞する上壁９１２を有する中空のものであり、上壁９１２の幅方向の両側には、それぞれ支持部４１２が設けられ、支持部４１２の内周面４１２ａによって挿入口が画定されている。これら挿入口それぞれには花立筒８が挿入され、支持部４１２に支持された支持状態に花立筒８が配置されている。第２花立本体９１の幅方向の中央部分には、水溜５ａが形成され、この水溜５ａの底には、第２花立本体９１内に連通する落水孔５ｂが形成されている。
【００６３】
第２花立本体９１の内部には、幅方向及び前後方向いっぱいの大きさを有し、例えばステンレス鋼からなる第２水溜容器７２が収容されている。この第２水溜容器７２の幅方向両側の側壁それぞれには、下方に隙間を空けた状態で、水溜容器７１’が溶接等によって固定されている。水溜容器７１’の底壁には、第２孔７１ｂが形成されている。
【００６４】
第２水溜容器７２は、水溜容器７１’よりも大量の水を溜めることができるものである。第２水溜容器７２に溜まっている水の水面には、蒸発抑制シートＳと同じ素材の第２蒸発抑制シートＳ２が配置され、第２水溜容器７２に溜まっている水の蒸発を抑制している。なお、第２蒸発抑制シートＳ２の中央部分（水溜５ａの落水孔５ｂの下方位置）にも、不図示の補充孔が形成されている。
【００６５】
本変形例の第２花立９によれば、第２水溜容器７２に溜まっている水が、第２孔７１ｂから水溜容器７１’内に補充される。また、水溜５ａに溜まった雨水等が、落水孔５ｂから第２水溜容器７２に落下して第２水溜容器７２に溜まっている水に補充される。これらによって、図３に示す花立４よりも、花立筒８への水の補充をさらに長い期間確保することができる。
【００６６】
本発明は前述した実施形態に限られることなく特許請求の範囲に記載した範囲で種々の変更を行うことができる。また、以上説明した各実施形態や各変形例の記載それぞれにのみ含まれている構成要件であっても、その構成要件を、他の実施形態や他の変形例に適用してもよい。
【００６７】
以下、これまで説明したことも含めて付記する。
【００６８】
図３〜図５に示す花立４や、図８に示す第２花立９は、本発明とは独立した技術思想として捉えることができ、この独立した技術思想を以下に記載する。この独立した技術思想によれば、花立筒内の水量の確保が不十分であった従来の墓構造体の問題を解決し、花立筒に供えられた花を長持ちさせることができる。
【００６９】
（付記１）
竿、花立及び水鉢を有する墓構造体において、
前記花立は、
中空の花立台と、
前記花立台内に収容され水を溜める水溜容器と、
鍔部を有し、前記水溜容器内に上方から挿入されると共に該鍔部が前記花立台に係止して該花立台に支持される花立筒と、を備えるものであり、
前記花立筒は、前記花立台に支持される支持状態において、前記水溜容器の内面と間隔を空けて位置する側壁と、該側壁の下端を閉塞する底壁とを有するものであり、
前記底壁は、孔が形成されたものであることを特徴とする。
【００７０】
（付記２）
付記１記載の墓構造体において、
前記花立は、前記水溜容器の内面と前記花立筒の前記側壁との間に配置され、該水溜容器に溜まっている水の蒸発を抑制する蒸発抑制部材を有するものであってもよい。
【００７１】
（付記３）
付記１又は２記載の墓構造体において、
前記花立台は、上端よりも下方位置から内側に突出した支持部を有するものであり、
前記花立筒は、前記鍔部が前記支持部に上方から係止することで前記支持状態になるものであり、
前記鍔部は、前記支持状態において、前記花立台における、前記上端と前記支持部との間に形成された空間と、前記水溜容器内とを連通する切欠きが形成されたものであってもよい。
【符号の説明】
【００７２】
１０，１１  墓（墓構造体）
２，２’  竿
２１，２１’  竿本体
２２  竿用瓦素材部
４  花立
４１  花立台
４１１  側壁部
４１２  支持部
４２  花立用瓦素材部
５  水鉢
５２  水鉢用瓦素材部
７１，７１’  水溜容器
７２  第２水溜容器
８  花立筒
８１  花立筒本体
８１１  側壁
８１２  底壁
８１２ａ  孔
８２  鍔部
９  第２花立
Ｆ  充填物
Ｈ  空間
Ｓ  蒸発抑制シート
【図１】
2019127726.tif 000003
【図２】
2019127726.tif 000004
【図３】
2019127726.tif 000005
【図４】
2019127726.tif 000006
【図５】
2019127726.tif 000007
【図６】
2019127726.tif 000008
【図７】
2019127726.tif 000009
【図８】
2019127726.tif 000010